(57)【特許請求の範囲】
【請求項１】
プラグとソケットを含む複数心の帯状光ファイバーコネクターであって、
前記プラグはプラグハウジングを含み、
前記ソケットはソケットハウジングを含み、
前記プラグは、プラグ先端両側に設けられたボタンにより前記ソケットに可動的に接続され、前記プラグの先端には、プラグハウジングに収容された複数心の第１帯状光ファイバーと、ソケットハウジングに収容された複数心の第２帯状光ファイバーのうち、少なくとも、複数心の第２帯状光ファイバーが湾曲変形を伴ってその内部で可動的にアラインメントするように許容するアラインメントコアが更に設けられ、
前記プラグが前記ソケットに挿入された時、第２帯状光ファイバーがアライメントコアにおいて対応するアライメントトンネルに挿入され、第２帯状光ファイバーはアライメントトンネルにおいて第１帯状光ファイバーと端面ドッキングし、
前記プラグハウジングの先端にアラインメントコア収容室を有し、前記アラインメントコアは前記アラインメントコア収容室に収容され、
前記アラインメントコアの頂面と底面に案内突起が設けられ、前記プラグハウジングのアラインメントコア収容室の内壁に相応に案内溝が設けられ、
前記アラインメントコア底面の案内突起が前記ソケットハウジングに設けられたマッチング位置決め槽とマッチングすることを特徴とする帯状光ファイバーコネクター。
【請求項２】
前記プラグは、プラグハウジングに収容された第１光ファイバー固定ユニット及び前記アラインメントコアを含み、前記アラインメントコアは複数のアラインメントトンネルを有し、
前記プラグハウジングの先端面には前記アラインメントコアに対向する開口が開設され、
第１帯状光ファイバーはプラグハウジングの後端からプラグハウジングに入って、且つ第１光ファイバー固定ユニットで固定され、前記第１帯状光ファイバーのヘッド部はシースを剥いて複数の第１裸光ファイバーを露出させ、各前記第１裸光ファイバーが対応するアラインメントトンネルに挿入され、
前記ソケットは、ソケットハウジングに収容された第２光ファイバー固定ユニットを含み、第２帯状光ファイバーはソケットハウジングの後端からソケットハウジングに入って、且つ第２光ファイバー固定ユニットで固定され、前記第２帯状光ファイバーのヘッド部はシースを剥いて複数の第２裸光ファイバーを露出させ、プラグがソケットに挿入される際、各前記第２裸光ファイバーが対応するアラインメントトンネルに挿入され、該当する第１裸光ファイバーの端面とドッキングすることを特徴とする請求項１に記載の帯状光ファイバーコネクター。
【請求項３】
前記アラインメントコアはセラミックスコアであり、前記アラインメントトンネルは前記セラミックスコアに設けられたスルーホールであり、前記スルーホールの端面に面取りが設けられることを特徴とする請求項２に記載の帯状光ファイバーコネクター。
【請求項４】
前記アラインメントコアはＶ溝プレートとＶ溝プレートを覆うＶ溝カバープレートとを含み、前記Ｖ溝プレートに並列する複数のアラインメントＶ溝を有し、前記アラインメントトンネルは前記アラインメントＶ溝であり、前記アラインメントＶ溝は少なくとも一端に面取りが設けられることを特徴とする請求項３に記載の帯状光ファイバーコネクター。
【請求項５】
前記Ｖ溝プレートに配列Ｖ溝が設けられ、前記第１裸光ファイバーは配列Ｖ溝を経由してアラインメントＶ溝に延伸することを特徴とする請求項４に記載の帯状光ファイバーコネクター。
【請求項６】
前記第１光ファイバー固定ユニットは光ファイバー心押台と、光ファイバー心押台を覆う外枠体カバープレートとを含み、前記第１帯状光ファイバーが前記外枠体カバープレートと光ファイバー心押台との間に押し付けられることを特徴とする請求項２〜５のいずれかに記載の帯状光ファイバーコネクター。
【請求項７】
前記心押台は平板と、平板側辺に設けられたストッパーブロックとを含み、前記プラグハウジングは前記ストッパーブロックとマッチングするストッパー溝を有し、前記外枠体カバープレートの底面に位置決めピンが設けられ、前記プラグハウジングは前記位置決めピンとマッチングする位置決め孔を有することを特徴とする請求項６に記載の帯状光ファイバーコネクター。
【請求項８】
前記第２光ファイバー固定ユニットは光ファイバー押さえ板を含み、前記ソケットハウジングの後端に光ファイバー固定Ｖ溝を有し、前記光ファイバー押さえ板は前記固定Ｖ溝を覆い、前記第２帯状光ファイバーは光ファイバー固定Ｖ溝に固定された固定長の裸光ファイバー部分を含み、前記光ファイバー押さえ板は前記固定長の裸光ファイバー部分を前記光ファイバー固定Ｖ溝の内部に押さえることを特徴とする請求項２〜５のいずれかに記載の帯状光ファイバーコネクター。
【請求項９】
前記第２光ファイバー固定ユニットは光ファイバー整形押さえシートをさらに含み、前記光ファイバー整形押さえシートはソケットハウジングの内部に設けられ、且つ前記光ファイバー押さえ板の前に位置し、前記光ファイバー整形押さえシートは前記第２帯状光ファイバーを前記ソケットハウジングの底面に押さえることを特徴とする請求項８に記載の帯状光ファイバーコネクター。
【請求項１０】
前記ソケットハウジングの底面は光ファイバー配列Ｖ溝をさらに有し、前記第２裸光ファイバーは前記ソケットハウジングの内部にぶら下がることを特徴とする請求項９に記載の帯状光ファイバーコネクター。
【発明の詳細な説明】
【技術分野】
【０００１】
本発明は光通信分野の物理的接続技術に関し、特に帯状光ファイバーコネクターに関する。
【背景技術】
【０００２】
帯状光ファイバーは複数の光通路を提供でき、その応用は益々広がっている。一般的に言えば、帯状光ファイバー相互間の接続が単心光ファイバーの接続よりかなり複雑であり、帯状光ケーブルを構成する各光ファイバーがそれぞれプレハブコネクターの各孔或いはトンネルに挿入される必要があり、裸光ファイバーの極めて小さな寸法と脆い特性により、各裸光ファイバーをそれぞれの孔或いはトンネルに挿入するのは非常に困難なことであり、光ファイバーにおけるいずれか１本さえ折れてしまうと、帯状光ファイバー全体の接続をやり直されなければならない。帯状光ファイバー自身の特性により、従来の帯状光ファイバーコネクターは構造が非常に複雑で、且つ不良品率が比較的に高いため、ある程度で帯状光ファイバーの応用を制限した。
【先行技術文献】
【特許文献】
【０００３】
【特許文献１】特開２００４−１２６４００号公報
【発明の概要】
【発明が解決しようとする課題】
【０００４】
本発明が解決しようとする課題は従来技術の帯状光ファイバーの接続における上記欠点に鑑みて、帯状光ファイバーコネクターを提供することにある。
【課題を解決するための手段】
【０００５】
この課題を解決するために、本発明は以下の技術案を採用する。プラグとソケットを含む複数心の帯状光ファイバーコネクターであって、前記プラグはプラグハウジングを含み、前記ソケットはソケットハウジングを含み、前記プラグは、プラグ先端両側に設けられたボタンにより前記ソケットに可動的に接続され、前記プラグの先端には、プラグハウジングに収容された複数心の第１帯状光ファイバーと、ソケットハウジングに収容された複数心の第２帯状光ファイバーのうち、少なくとも、複数心の第２帯状光ファイバーが湾曲変形を伴ってその内部で可動的にアラインメントするように許容するアラインメントコアが更に設けられ、前記プラグが前記ソケットに挿入された時、第２帯状光ファイバーがアライメントコアにおいて対応するアライメントトンネルに挿入され、第２帯状光ファイバーはアライメントトンネルにおいて第１帯状光ファイバーと端面ドッキングし、前記プラグハウジングの先端にアラインメントコア収容室を有し、前記アラインメントコアは前記アラインメントコア収容室に収容され、前記アラインメントコアの頂面と底面に案内突起が設けられ、前記プラグハウジングのアラインメントコア収容室の内壁に相応に案内溝が設けられ、前記アラインメントコア底面の案内突起が前記ソケットハウジングに設けられたマッチング位置決め槽とマッチングすることを特徴とする帯状光ファイバーコネクター。
【０００６】
本発明に係る帯状光ファイバーコネクターにおいて、前記プラグは、プラグハウジングに収容された第１光ファイバー固定ユニット及び前記アラインメントコアを含み、前記アラインメントコアは複数のアラインメントトンネルを有し、前記プラグハウジングの先端面には前記アラインメントコアに対向する開口が開設され、第１帯状光ファイバーはプラグハウジングの後端からプラグハウジングに入って、且つ第１光ファイバー固定ユニットで固定され、前記第１帯状光ファイバーのヘッド部はシースを剥いて複数の第１裸光ファイバーを露出させ、各前記第１裸光ファイバーが対応するアラインメントトンネルに挿入され、前記ソケットは、ソケットハウジングに収容された第２光ファイバー固定ユニットを含み、第２帯状光ファイバーはソケットハウジングの後端からソケットハウジングに入って、且つ第２光ファイバー固定ユニットで固定され、前記第２帯状光ファイバーのヘッド部はシースを剥いて複数の第２裸光ファイバーを露出させ、プラグがソケットに挿入される際、各前記第２裸光ファイバーが対応するアラインメントトンネルに挿入され、該当する第１裸光ファイバーの端面とドッキングする。
【０００７】
本発明に係る帯状光ファイバーコネクターにおいて、前記アラインメントコアはセラミックスコアであり、前記アラインメントトンネルは前記セラミックスコアに設けられたスルーホールであり、前記スルーホールの端面に面取りが設けられる。
【０００８】
本発明に係る帯状光ファイバーコネクターにおいて、前記アラインメントコアはＶ溝プレートとＶ溝プレートを覆うＶ溝カバープレートとを含み、前記Ｖ溝プレートに並列する複数のアラインメントＶ溝を有し、前記アラインメントトンネルは前記アラインメントＶ溝であり、前記アラインメントＶ溝は少なくとも一端に面取りが設けられる。
【０００９】
本発明に係る帯状光ファイバーコネクターにおいて、前記Ｖ溝プレートに配列Ｖ溝が設けられ、前記第１裸光ファイバーは配列Ｖ溝を経由してアラインメントＶ溝まで伸びる。
【００１１】
本発明に係る帯状光ファイバーコネクターにおいて、前記第１光ファイバー固定ユニットは光ファイバー心押台と、光ファイバー心押台を覆う外枠体カバープレートとを含み、前記第１帯状光ファイバーは前記外枠体カバープレートと前記光ファイバー心押台との間に押し付けられる。
【００１２】
本発明に係る帯状光ファイバーコネクターにおいて、前記心押台は平板と平板の側辺に設けられたストッパーブロックとを含み、前記プラグハウジングは前記ストッパーとマッチングするストッパー溝を有し、前記外枠体カバープレートの底面に位置決めピンが設けられ、前記プラグハウジングは前記位置決めピンとマッチングする位置決め孔を有する。
【００１３】
本発明に係る帯状光ファイバーコネクターにおいて、前記第２光ファイバー固定ユニットは光ファイバー押さえ板を含み、前記ソケットハウジングの後端は光ファイバー固定Ｖ溝を有し、前記光ファイバー押さえ板は前記固定Ｖ溝を覆い、前記第２帯状光ファイバーは光ファイバー固定Ｖ溝に固定された固定長の裸光ファイバー部分を含み、前記光ファイバー押さえ板は前記固定長の裸光ファイバー部分を前記光ファイバー固定Ｖ溝の内部に押さえる。
【００１４】
本発明に係る帯状光ファイバーコネクターにおいて、前記第２光ファイバー固定ユニットは光ファイバー整形押さえシートを更に含み、前記光ファイバー整形押さえシートはソケットハウジングの内部に設けられ、且つ前記光ファイバー押さえ板の前に位置し、前記光ファイバー整形押さえシートは前記第２帯状光ファイバーを前記ソケットハウジングの底面に押さえる。
【００１５】
本発明に係る帯状光ファイバーコネクターにおいて、前記ソケットハウジングの底面には光ファイバー配列Ｖ溝を更に有し、前記第２裸光ファイバーは前記ソケットハウジングの内部にぶら下がる。
【発明の効果】
【００１６】
本発明の帯状光ファイバーコネクターを実施することにより、以下の有益的な效果が得られる。本発明の帯状光ファイバーコネクターはプラグとソケットとを含み、プラグハウジングの先端にアラインメントコアを収容し、該アラインメントコアは複数のアラインメントトンネルを有し、プラグをソケットに挿入する際、第１帯状光ファイバー先端の第１裸光ファイバーと第２帯状光ファイバー先端の第２裸光ファイバーは前記アラインメントトンネル内で端面のドッキングを実現する。従って、本発明の帯状光ファイバーコネクターは構造が簡単で、使用に便利で、反復挿抜可能なメリットを有する。
【図面の簡単な説明】
【００１７】
以下、図面と実施例を参照して、本発明を更に説明する。
【図１】図１は本発明の帯状光ファイバーコネクターの第１実施例の模式図である。
【図２】図２は本発明の帯状光ファイバーコネクターの第１実施例における光ファイバープラグの分解模式図である。
【図３】図３は本発明の帯状光ファイバーコネクターの第１実施例における光ファイバープラグの断面図である。
【図４】図４は本発明の帯状光ファイバーコネクターの第１実施例における光ファイバープラグのアラインメントコアの模式図である。
【図５】図５は本発明の図４に示したアラインメントコアの他の角度からの模式図である。
【図６】図６は本発明の帯状光ファイバーコネクターの第１実施例におけるプラグハウジングの模式図である。
【図７】図７は本発明の帯状光ファイバーコネクターの第１実施例における光ファイバーソケットの分解模式図である。
【図８】図８は本発明の帯状光ファイバーコネクターの第１実施例における光ファイバーソケットの断面模式図である。
【図９】図９は本発明の帯状光ファイバーコネクターの第１実施例におけるプラグがソケットに挿入された時の断面図である。
【図１０】図１０は本発明の帯状光ファイバーコネクターの第２実施例におけるプラグの分解模式図である。
【図１１】図１１は本発明の帯状光ファイバーコネクターの第２実施例におけるプラグの断面図である。
【図１２】図１２は本発明の帯状光ファイバーコネクターの第２実施例における第１帯状光ファイバーがアラインメントコアと結合する分解模式図である。
【図１３】図１３は本発明の帯状光ファイバーコネクターの第２実施例における第１帯状光ファイバーがアラインメントコアと結合する断面図である。
【図１４】図１４は本発明の帯状光ファイバーコネクターの第２実施例におけるプラグがソケットに挿入された時の断面図である。
【図１５】図１５は本発明の帯状光ファイバーコネクターの応用状態の模式図である。
【図１６】図１６は本発明の帯状光ファイバーコネクターの他の応用状態の模式図である。
【発明を実施するための形態】
【００１８】
本発明の技術特徴、目的及び効果を更に明確に理解するために、図面を参照して本発明の具体的な実施形態を詳しく説明する。
【００１９】
図１は本発明の帯状光ファイバーコネクターの第１実施例の模式図であり、図１に示したように、第１実施例の帯状光ファイバーコネクターは１つのプラグ１と１つのソケット２とを含み、プラグ１とソケット２は複数回反複可能な挿抜接続を実現でき、プラグ１がソケット２に挿入されることによって、第１帯状光ファイバー３１と第２帯状光ファイバー３２との接続を実現する。
【００２０】
図２〜図６は本発明の帯状光ファイバーコネクターの第１実施例におけるプラグの模式図であり、プラグ１はプラグハウジング１０、及びハウジング１０に収容された第１光ファイバー固定ユニット１１とアラインメントコア１２を含む。プラグハウジング１０の先端にはアラインメントコア収容室１０１を有し、アラインメントコア１２はこのアラインメントコア収容室１０１内に収容され、プラグハウジング１０の先端面にはアラインメントコア１２に対向する開口１０２が開設され、アラインメントコア１２がアラインメントコア収容室１０１内に固定されるように、アラインメントコア１２とアラインメントコア収容室１０１は締まりばめの方式で結合されている。本実施例では、アラインメントコア１２はセラミックスコアであり、該アラインメントコア１２に複数のアラインメントトンネル１２１が開設され、該アラインメントトンネル１２１はセラミックスコアに設けられたスルーホールであり、裸光ファイバをより容易にアラインメントトンネル１２１に挿入するために、アラインメントトンネル１２１の両端に裸光ファイバを案内するための面取りが開設される。アラインメントコア１２の組立てを便利にし且つその組立て精度を確保するために、アラインメントコア１２の頂面と底面にいずれも案内突起１２２、１２２が設けられ、アラインメントコア収容室１０１の内壁には相応に案内溝１０３が設けられ、組立てる時、案内突起１２２を案内溝１０３に置き、そして、アラインメントコア１２をアラインメントコア収容室１０１内に押しこむ。
【００２１】
第１帯状光ファイバー３１はプラグ１の末端からプラグハウジング１０の内部に入って、第１帯状光ファイバー３１はクラッド付けのクラッド部分３１０、クラッドを剥いたシース部分３１１、及びシースを剥いた第１裸光ファイバー部分３１２を含み、シース部分３１１の各光ファイバーの直径は２５０μmであり、第１裸光ファイバー部分３１２の各裸光ファイバの直径は１２５μmであり、第１裸光ファイバー部分３１２即ち第１帯状光ファイバー３１のヘッド部は複数の第１裸光ファイバーを有する。第１帯状光ファイバー３１のシース部分３１１は第１光ファイバー固定ユニット１１によってプラグハウジング１０の内部に固定され、第１光ファイバー固定ユニット１１は光ファイバー心押台１１０及び光ファイバー心押台１１０を覆う外枠体カバープレート１１１を含み、第１帯状光ファイバー３１のシース部分３１１が光ファイバー心押台１１０と外枠体カバープレート１１１との間に押し付けられ、或いはシース部分３１１が接着剤で光ファイバー心押台１１０と外枠体カバープレート１１１との間に貼り付けられても固着されることができ、第１裸光ファイバー部分３１２の各第１裸光ファイバーが対応するアラインメントトンネル１２１に挿入され、第１裸光ファイバーはアラインメントトンネル１２１の一部を占める。光ファイバー心押台１１０は平板１１２及び平板１１２の側辺に設けられたストッパーブロック１１３を含み、プラグハウジング１０はストッパーブロック１１３とマッチングするストッパー溝１０４を有し、外枠体カバープレート１１１の底面に位置決めピン１１４が設けられ、プラグハウジング１０は位置決めピン１１４とマッチングする位置決め孔１０５を有する。組立てる時、アラインメントコア１２がまずアラインメントコア収容室１０１に取り付けられ、そして、光ファイバー心押台１１０をプラグハウジング１０に置いて、ストッパーブロック１１３がストッパー溝１０４に係合し、光ファイバー心押台１１０に対する位置決めを実現し、そして、処理済みの第１帯状光ファイバー３１をプラグハウジング１０の末端からプラグハウジングに挿入し、第１裸光ファイバー部分３１２の各第１裸光ファイバーが対応するアラインメントトンネル１２１に挿入されて外枠体カバープレート１１２によって覆われ、外枠体カバープレート１１２の位置決めピン１１４を位置決め孔１０５に挿入して外枠体カバープレート１１２に対する位置決めを実現し、外枠体カバープレート１１２の先端に段差を有し、プラグハウジング１０に該段差と対応し且つ該段差と噛み合う段差を有し、この段差も外枠体カバープレート１１２に対する位置決め役を果たす。
【００２２】
プラグ１におけるプラグハウジング１０の両側に弾性ボタン１０６が設けられ、ソケット２のソケットハウジング２０の内壁に該ボタン１０６とマッチングするボタン受け部２０１を有し、プラグ１がソケット２に挿入された時、ボタン１０６がボタン受け部２０１に係合される。プラグ１とソケット２の精確なマッチング及び両端光ファイバーの正確なアラインメントを確保するため、アラインメントコア底面の案内突起１２２はソケットハウジング内壁に設けられた精確マッチング位置決め槽２０５と精密にマッチングし、同時に、プラグとソケットの噛み合い強度を確保し両者の相対左右揺れを防ぐために、プラグハウジング１０の先端の表面に複数本のリブ１０７が設けられ、ソケットハウジング２０の内壁には対応して複数の位置決め槽２０２が設けられる。
【００２３】
図７〜図８は本発明の帯状光ファイバーコネクターの第１実施例におけるソケットの模式図であり、図７〜図８に示したように、ソケット２はソケットハウジング２０、及びソケットハウジング２０に収容された第２光ファイバー固定ユニット２１を含む。第２帯状光ファイバー３２はソケットハウジング２０の末端からソケットハウジング２０に入って、且つ第２光ファイバー固定ユニット２１で固定され、第２帯状光ファイバー３２はクラッドを有するクラッド部分３２０、第２帯状光ファイバー３２を固定する固定長の裸光ファイバー部分３２１、クラッドを剥いたシース部分３２２、及び第２裸光ファイバー部分３２３を含み、第２裸光ファイバー部分３２３即ち第２帯状光ファイバーのヘッド部は複数の第２裸光ファイバーを有する。
【００２４】
第２光ファイバー固定ユニット２１は光ファイバー押さえ板２１０を含み、ソケットハウジング２０の末端に光ファイバー固定Ｖ溝２０３を有し、光ファイバー押さえ板２１０は前記固定Ｖ溝２０３を覆い、固定長の裸光ファイバー部分３２１は光ファイバー固定Ｖ溝２０３内に配列され、固定Ｖ溝２０３に接着剤を滴らし、光ファイバー押さえ板２１０は接着剤によって固定長の裸光ファイバー部分３２１を光ファイバー固定Ｖ溝２０３に貼り付け・押さえる。第２光ファイバー固定ユニット２１は光ファイバー整形押さえシート２１１を更に含み、光ファイバー整形押さえシート２１１はソケットハウジング２０の内部に設けられ、且つ光ファイバー押さえ板２１０の前に位置し、光ファイバー整形押さえシート２１１は第２帯状光ファイバー３２のシース部分３２２をソケットハウジング２０の底面に押さえ、第２帯状光ファイバー３２に対する整形と位置決めの役を果たす。ソケットハウジング２０の底面には光ファイバー配列Ｖ溝２０４を更に有し、第２帯状光ファイバー３２は光ファイバー配列Ｖ溝２０４に沿って前に延伸し、第２裸光ファイバー部分３２３はソケットハウジング２０の先端にぶら下がり、プラグ１がソケット２に挿入された時、第２裸光ファイバー部分３２３の第２裸光ファイバーがアラインメントコア１２における対応するアラインメントトンネル１２１に挿入され、第２裸光ファイバーはアラインメントトンネル１２１において第１裸光ファイバーと端面ドッキングを実現する。第２裸光ファイバーと第１裸光ファイバーとはアラインメントする時、軽い湾曲変形が発生し、二者の端面が一定の圧力でドッキングされ、光通路の良好な導通を確保される。第１裸光ファイバーと第２裸光ファイバーが両方ともアラインメントコアに固定されないため、二者のドッキングを可動ドッキングと称する。
【００２５】
図９は本発明の帯状光ファイバーコネクターの第１実施例におけるプラグ１がソケット２と結合した時の断面模式図であり、図に示されたように、第１裸光ファイバーと第２裸光ファイバーがアラインメントコア１２のアラインメントトンネル１２１において端面のドッキングを実現することによって光通路の接続を実現する。
【００２６】
図１０〜図１３は本発明の帯状光ファイバーコネクターの第２実施例におけるプラグの模式図である。図１０〜図１３に示したように、裸光ファイバーの直径が１２５μmだけであるため、アラインメントコア１２にスルーホールを直接加工してアラインメントトンネルを形成するのは非常に困難であり、アラインメントコア１２の製造を簡単にさせるために、本実施例では、アラインメントコア１２はＶ溝プレート１２３とＶ溝プレート１２３を覆うＶ溝カバープレート１２４との２つの部分に分けられ、小さい寸法のスルーホールの加工と比較し、Ｖ溝加工のほうが容易に実現できる。Ｖ溝プレート１２３はアラインメントＶ溝１２５と配列Ｖ溝１２６を有し、アラインメントＶ溝１２５はアラインメントトンネルであり、Ｖ溝カバープレート１２４はアラインメントＶ溝１２５だけを覆い、配列Ｖ溝１２６が露出しており、第１帯状光ファイバー３１の第１裸光ファイバー部分３１２は上から下へとＶ溝プレート１２３のＶ溝に組み立てられ、且つＶ溝１２６に接着剤を滴らして光ファイバーを仮固定し、第２裸光ファイバーがアラインメントＶ溝に入りやすいように、前記アラインメントＶ溝１２５とソケットの裸光ファイバー挿入端に第２裸光ファイバーを案内するための面取りが設けられる。本実施例におけるプラグ１の他の構造が第１実施例におけるプラグの構造と同じであるため、贅言しない。本実施例におけるソケットの構造は第１実施例におけるソケットの構造と同じである。
【００２７】
図１４は本発明の帯状光ファイバーコネクターの第２実施例におけるプラグ１がソケット２と結合した時の断面模式図であり、図に示したように、第１裸光ファイバーと第２裸光ファイバーがアラインメントコア１２のＶ溝プレート１２３のアラインメントＶ溝１２５において端面のドッキングを実現することによって光通路の接続を実現する。
【００２８】
図１５と図１６はそれぞれ本発明の帯状光ファイバーコネクターの２種の応用形式を示し、図１５において、帯状光ファイバーコネクターはパネルと垂直し、図１６において、帯状光ファイバーコネクターはパネルに対して一定の角度で傾斜し、本発明の帯状光ファイバーコネクターは非常によい適用性を有し、各種の応用場面に適用する。
【００２９】
発明の帯状光ファイバーコネクターはプラグとソケットを含み、プラグハウジングの先端にアラインメントコアが収容され、該アラインメントコアは複数のアラインメントトンネルを有し、プラグがソケットに挿入される際、第１帯状光ファイバー先端の第１裸光ファイバーと第２帯状光ファイバー先端の第２裸光ファイバーとが前記アラインメントトンネル内において端面のドッキングを実現する。本発明の帯状光ファイバーコネクターは構造が簡単で、使用に便利で、反復挿抜可能のメリットを有する。
【００３０】
以上は図面を参照して本発明の実施例を説明したが、本発明は上記の具体的な実施の形態に限定されず、上記の具体的な実施の形態はただ例示的であり、限定性を持っておらず、当業者は本発明の啓示で、本発明の趣旨と請求項で保護請求している範囲から脱逸しない前提で更に各種の変化や変更を有するものができ、これらの変化や変更は本発明の保護範囲内に含まれる。
【符号の説明】
【００３１】
１………プラグ
２………ソケット
１０………プラグハウジング
１１………第1光ファイバー固定ユニット
１２………アライメントコア
２０………ソケットハウジング
２１………第２光ファイバー固定ユニット
３１………第1帯状光ファイバー
３２………第２帯状光ファイバー
１０１………アライメントコア収容室
１０２………開口
１０３………案内溝
１０４………ストッパー溝
１０５………位置決め孔
１０６………ボタン
１１０………光ファイバー心押台
１１１………外枠体カバープレート
１１２………外枠体カバープレート
１１３………ストッパーブロック
１１４………位置決めピン
１２１………アライメントトンネル
１２２………案内突起
１２３………Ｖ溝プレート
１２４………Ｖ溝カバープレート
１２５………アライメントＶ溝
１２６………Ｖ溝
２０１………ボタン受け部
２０２………位置決め槽
２０３………固定Ｖ溝
２０４………配列Ｖ溝
２１０………光ファイバー押さえ板
２１１………光ファイバー整形押さえシート
３１０………クラッド部分
３１１………シース部分
３１２………第１裸光ファイバー部分
３２０………クラッド部分
３２１………裸光ファイバー部分
３２２………シース部分
３２３………第２裸光ファイバー部分
【図７】
0005747086.tif 000002
【図１】
0005747086.tif 000003
【図２】
0005747086.tif 000004
【図３】
0005747086.tif 000005
【図４】
0005747086.tif 000006
【図５】
0005747086.tif 000007
【図６】
0005747086.tif 000008
【図８】
0005747086.tif 000009
【図９】
0005747086.tif 000010
【図１０】
0005747086.tif 000011
【図１１】
0005747086.tif 000012
【図１２】
0005747086.tif 000013
【図１３】
0005747086.tif 000014
【図１４】
0005747086.tif 000015
【図１５】
0005747086.tif 000016
【図１６】
0005747086.tif 000017